(57)【特許請求の範囲】
【請求項１】
一対の親桁の間に所定の間隔で複数の子桁を設けたケーブルラックに載置可能であり、コロ本体と送りローラとを備えたケーブルラック用コロ装置であって、
前記コロ本体は、
前記ケーブルラックに載置した状態において、前記親桁の長手方向に延びるベースと、  前記ベースの長手方向の一端部から下方に延びて終端する、前記ケーブルラックの子桁に掛けるための第１係合部と、
前記ベースの長手方向の他端部から下方に延びるとともに前記ケーブルラックの別の子桁の下面に沿って前記一端部に向かって延びて終端する、前記別の子桁に掛けるための第２係合部と
を備え、
前記第１係合部が前記第２係合部と反対の側から前記ケーブルラックの子桁に係合し、かつ前記第２係合部が前記第１係合部と反対の側から前記別の子桁に係合するように、前記第１係合部と前記第２係合部との間隔が、前記ケーブルラックの子桁の前記所定の間隔又はその整数倍と子桁の幅との合計の長さに対応している
ことを特徴とする、ケーブルラック用コロ装置。
【請求項２】
前記ベースから立ち上がった回転軸に支持されたガイドローラと、
前記ガイドローラの前記回転軸を、当該回転軸が前記ベースの長手方向に転倒可能に軸支するガイド基部と、
前記回転軸を前記ガイド基部に固定でき、前記回転軸に沿って移動可能なスリーブと
を更に備え、
前記送りローラの回転軸は、前記ベースの長手方向に沿った両側から上方に延びる側壁部によって支持され、
前記側壁部の前記ベースからの高さが、前記ガイドローラに面した部分において、前記送りローラの前記回転軸を支持する部分よりも低い
ことを特徴とする、請求項１記載のケーブルラック用コロ装置。
【請求項３】
前記第１係合部の前記ベースからの高さと、前記第２係合部の前記ベースからの高さと、前記ベースから前記送りローラの最高部分までの高さとが、実質的に等しい
ことを特徴とする、請求項１または請求項２に記載のケーブルラック用コロ装置。
【請求項４】
前記コロ本体の前記第１係合部側に取り付けられた取手を更に備える
ことを特徴とする、請求項１〜３のいずれか一項に記載のケーブルラック用コロ装置。
【請求項５】
一対の親桁の間に所定の間隔で複数の子桁を設けたケーブルラックに取付可能であり、コロ本体と送りローラとを備えたケーブルラック用コロ装置であって、
前記コロ本体は、
前記ケーブルラックに載置した状態において、前記親桁の長手方向に延びるベースと、  前記ケーブルラック用コロ装置を前記ケーブルラックの前記一対の親桁のうちの一方の親桁に取り付けるために、前記ベースの下面に整列した第１及び第２取付部と
を備え、
前記第１取付部は、前記ベースの長手方向に沿って延びる互いに平行な一対のブラケットを有し、前記一対のブラケットの一方に、当該一対のブラケットの間に前記親桁を挟んで固定するための締付ノブを有し、前記一対のブラケットの他方に、前記ベースの長手方向の一端部から下方に延びる、前記ケーブルラックの子桁に掛けるための第１係合部を有し、
前記第２取付部は、前記ベースの長手方向に沿って延びる互いに平行な一対のブラケットを有し、前記一対のブラケットの一方に、当該一対のブラケットの間に前記親桁を挟んで固定するための締付ノブを有し、前記一対のブラケットの他方に、前記ベースの長手方向の他端部から下方に延びる、前記ケーブルラックの別の子桁に掛けるための第２係合部を有し、
前記第１係合部が前記第２係合部と反対の側から前記ケーブルラックの子桁に係合し、かつ前記第２係合部が前記第１係合部と反対の側から別の子桁に係合するように、前記第１係合部と前記第２係合部との間隔が、前記ケーブルラックの前記子桁の前記所定の間隔又はその整数倍と子桁の幅との合計の長さに対応している
ことを特徴とする、ケーブルラック用コロ装置。
【請求項６】
前記第２係合部の下端部は、前記別の子桁の下面に沿って前記第１取付部へ向かって延びている
ことを特徴とする、請求項５記載のケーブルラック用コロ装置。
【発明の詳細な説明】
【技術分野】
【０００１】
本発明は、ケーブルラック用コロ装置に関し、より詳細には、ケーブルラックにケーブルを敷設する際に、ケーブルラックに設置してケーブルを案内するケーブルラック用コロ装置に関する。
【背景技術】
【０００２】
従来、ケーブルラックにケーブルを敷設する延線作業を行う際に、ケーブルを案内する様々なコロ装置が使用されている。ケーブルの延線ときには、コロ装置に延線方向の力がかかる。このため、ケーブルラックに対するコロ装置の固定が不安定であると、コロ装置の位置がずれたり、コロ装置がケーブルラックから脱落したりするおそれがある。
【０００３】
そこで、例えば、下記の特許文献１に記載のケーブルラック用のコロ装置を、ローラを支持する本体部の一端側に設けた係合部で、ケーブルラックの子桁に係合するとともに、本体部の他端側で、金具を使用して別の子桁にナットで押圧することによって、ケーブルラックに強固に固定している。
【０００４】
また、コロ装置の位置ずれや脱落を防止するために、ケーブルラック用コロ装置を大きく重たくすることも考えられる。これにより、コロ装置をケーブルラックに載置するだけで、ケーブルの延線作業を行うことができる。
【先行技術文献】
【特許文献】
【０００５】
【特許文献１】特開２０１０−１９３６５０号公報
【発明の概要】
【発明が解決しようとする課題】
【０００６】
ところで、ケーブルラック用のコロ装置は、通常、ケーブルの延線に先立ってケーブルラックに設置され、また、ケーブルの延線後にケーブルラックから撤去される。このため、上記の特許文献１に記載のコロ装置では、コロ装置をケーブルラックに強固に固定はできるものの、コロ装置の着脱に手間と時間を要することになってしまう。
【０００７】
一方、ケーブルラック用のコロ装置を大きくかつ重くした場合には、コロ装置をケーブルラックに安定して載置はできるものの、コロ装置の設置及び撤収作業に大きな労力の要することになってしまう。
【０００８】
そこで、本発明は、ケーブルラックに容易かつ安定して設置できるケーブルラック用コロ装置を提供することを目的としている。
【課題を解決するための手段】
【０００９】
上記の目的を達成するため、本発明のケーブルラック用コロ装置は、一対の親桁の間に所定の間隔で複数の子桁を設けたケーブルラックに載置可能であり、コロ本体と送りローラとを備えたケーブルラック用コロ装置であって、前記コロ本体は、前記ケーブルラックに載置した状態において、前記親桁の長手方向に延びるベースと、前記ベースの長手方向の一端部から下方に延びる、前記ケーブルラックの子桁に掛けるための第１係合部と、前記ベースの長手方向の他端部から下方に延びる、前記ケーブルラックの別の子桁に掛けるための第２係合部とを備え、前記第１係合部が前記第２係合部と反対の側から前記ケーブルラックの子桁に係合し、かつ前記第２係合部が前記第１係合部と反対の側から別の子桁に係合するように、前記第１係合部と前記第２係合部との間隔が、前記ケーブルラックの子桁の前記所定の間隔又はその整数倍と子桁の幅との合計の長さに対応していることを特徴としている。
【００１０】
このように構成された本発明によれば、第１係合部が、第２係合部と反対の側からケーブルラックの子桁に係合し、かつ第２係合部が、第１係合部と反対の側から別の子桁に係合するように、第１係合部と第２係合部との間隔が、ケーブルラックの子桁の所定の間隔又はその整数倍に対応している。これにより、本発明によれば、延線されているケーブルからコロ装置に、コロ本体の長手方向の一端部側にずらそうとする力が加えられたときには、第２係合部が子桁に係合することによって、コロ装置の位置ずれが防止される。一方、延線されているケーブルからコロ装置に、コロ本体の長手方向の他端側にずらそうとする力が加えられたときには、第１係合部が別の子桁に係合することによって、コロ装置の位置ずれが防止される。
【００１１】
そのうえ、本発明によれば、ケーブルラックにコロ装置を載置することによって、容易に第１及び第２係合部をそれぞれ子桁に係合させることができる。したがって、本発明によれば、コロ装置をケーブルラックに容易かつ安定して設置することができる。
【００１２】
また、本発明において好ましくは、前記第２係合部の下端部は、前記別の子桁の下面に沿って前記一端部に向かって延びている。
これにより、ケーブルラックに載置されたコロ装置を上方に動かそうとしても、第２係合部の先端が子桁に係合することによって、コロ装置のケーブルラックからの脱落が防止される。その結果、コロ装置をケーブルラックにより安定して設置することができる。
【００１３】
なお、コロ装置をケーブルラックから取り外す際には、先ず、コロ装置の一端部側を持ち上げて第１係合部を子桁から外し、続いて、コロ装置の他端部側を持ち上げて第２係合部を子桁から外すとよい。これにより、コロ装置をケーブルラックから容易に取り外すことができる。
【００１４】
また、コロ装置をケーブルラックに設定する際には、先ず、コロ装置の他端部側の第２係合部を子桁に係合させ、続いて、コロ装置の一端部側を下ろして、第１係合部を別の子桁に係合させるとよい。これにより、コロ装置をケーブルラックに容易に載置することができる。
【００１５】
また、本発明において好ましくは、前記ベースから立ち上がった回転軸に支持されたガイドローラと、前記ガイドローラの前記回転軸を、当該回転軸が前記ベースの長手方向に転倒可能に軸支するガイド基部と、前記回転軸を前記ガイド基部に固定でき、前記回転軸に沿って移動可能なスリーブとを更に備え、前記送りローラの回転軸は、前記ベースの長手方向に沿った両側から上方に延びる側壁部によって支持され、前記側壁部の前記ベースからの高さが、前記ガイドローラに面した部分において、前記送りローラの前記回転軸を支持する部分よりも低い。
【００１６】
これにより、側壁部の外側から、即ち、側方から、スリーブを手で容易に動かして、ガイドローラを転倒又直立させることができる。その結果、特に、ケーブル延線後のコロ装置の撤収時に、スリーブを動かすためにコロ本体の上方からガイドローラの横に手を入れる必要がなくなる。このため、作業の安全性の向上を図ることができる。
【００１７】
また、本発明において好ましくは、前記第１係合部の前記ベースからの高さと、前記第２係合部の前記ベースからの高さと、前記ベースから前記送りローラの最高部分までの高さとが、実質的に等しい。
【００１８】
これにより、複数のコロ装置を水平に積み重ねることができ、コロ装置の運搬及び保管の便を図ることができる。
【００１９】
また、本発明において好ましくは、前記コロ本体の前記第１係合部側に取り付けられた取手を更に備える。
これにより、取手を手で持つと、コロ装置の第１端部側が高くなり、第２端部側が低くなる。その結果、コロ装置をケーブルラックに載置する際に、先にコロ装置の他端部側の第２係合部を子桁に係合させ、後からコロ装置の一端部側を下ろして、第１係合部を別の子桁に係合させることが容易となる。これにより、コロ装置をケーブルラックに一層容易に載置することができる。
【００２０】
また、コロ装置をケーブルラックから取り外す際には、取手を手で持ち上げることにより、先にコロ装置の一端部側が持ち上げられて第１係合部を子桁から外し、続いて、第２係合部を子桁から外すことにより、コロ装置をケーブルラックから一層容易に撤収することができる。
【００２１】
また、本発明のケーブルラック用コロ装置は、一対の親桁の間に所定の間隔で複数の子桁を設けたケーブルラックに取付可能であり、コロ本体と送りローラとを備えたケーブルラック用コロ装置であって、前記コロ本体は、前記ケーブルラックに載置した状態において、前記親桁の長手方向に延びるベースと、前記ケーブルラック用コロ装置を前記ケーブルラックの前記一対の親桁のうちの一方の親桁に取り付けるために、前記ベースの下面に整列した第１及び第２取付部とを備え、前記第１取付部は、前記ベースの長手方向に沿って延びる互いに平行な一対のブラケットを有し、前記一対のブラケットの一方に、当該一対のブラケットの間に前記親桁を挟んで固定するための締付ノブを有し、前記一対のブラケットの他方に、前記ベースの長手方向の一端部から下方に延びる、前記ケーブルラックの子桁に掛けるための第１係合部を有し、前記第２取付部は、前記ベースの長手方向に沿って延びる互いに平行な一対のブラケットを有し、前記一対のブラケットの一方に、当該一対のブラケットの間に前記親桁を挟んで固定するための締付ノブを有し、前記一対のブラケットの他方に、前記ベースの長手方向の他端部から下方に延びる、前記ケーブルラックの別の子桁に掛けるための第２係合部を有し、前記第１係合部が前記第２係合部と反対の側から前記ケーブルラックの子桁に係合し、かつ前記第２係合部が前記第１係合部と反対の側から別の子桁に係合するように、前記第１係合部と前記第２係合部との間隔が、前記ケーブルラックの前記子桁の前記所定の間隔又はその整数倍と子桁の幅との合計の長さに対応していることを特徴としている。
【００２２】
このように構成された本発明によれば、第１係合部が、第２係合部と反対の側から前記ケーブルラックの子桁に係合し、かつ第２係合部が、第１係合部と反対の側から別の子桁に係合するように、第１係合部と第２係合部との間隔が、ケーブルラックの子桁の所定の間隔と子桁の幅との合計の長さ、又は子桁の所定の間隔の整数倍と子桁の幅との合計の長さに対応している。これにより、延線されているケーブルからコロ装置に、コロ本体の長手方向の一端部側にずらそうとする力が加えられたときには、第２係合部が子桁に係合することによって、コロ装置の位置ずれが防止される。一方、延線されているケーブルからコロ装置に、コロ本体の長手方向の他端側にずらそうとする力が加えられたときには、第１係合部が別の子桁に係合することによって、コロ装置の位置ずれが防止される。
【００２３】
そのうえ、ケーブルラックの親桁をコロ装置のブラケットに挟んでコロ装置をケーブルラックに取り付けることによって、容易に第１及び第２係合部をそれぞれ子桁に係合させることができる。したがって、本発明によれば、コロ装置をケーブルラックに容易かつ安定して設置することができる。
【００２４】
また、本発明において好ましくは、前記第２係合部の下端部は、前記別の子桁の下面に沿って前記第１取付部に向かって延びている。
これにより、ケーブルラックに載置されたコロ装置を上方に動かそうとしても、第２係合部の先端が子桁に係合することによって、コロ装置のケーブルラックからの脱落が防止される。その結果、コロ装置をケーブルラックにより安定して取り付けることができる。
【発明の効果】
【００２５】
このように、本発明によれば、ケーブルラックに容易かつ安定して設置できるケーブルラック用コロ装置を提供することができる。
【図面の簡単な説明】
【００２６】
【図１】（Ａ）は、本発明の第１実施形態によるケーブルラック用コロ装置の上面であり、（Ｂ）はその正面図であり、（Ｃ）は、コロ装置の長手方向から見た側面図である。
【図２】（Ａ）は、ケーブルラックに載置した第１実施形態によるケーブルラック用コロ装置を、ケーブルラックの内側から見た正面図であり、（Ｂ）は、コロ装置の長手方向から見た側面図である。
【図３】（Ａ）は積み重ねた第１実施形態によるケーブルラック用コロ装置の正面図であり、（Ｂ）は、コロ装置の長手方向から見た側面図である。
【図４】（Ａ）は、ケーブルラックに載置した第２実施形態によるケーブルラック用コロ装置を、ケーブルラックの内側から見た正面図であり、（Ｂ）は、コロ装置の長手方向から見た側面図である。
【発明を実施するための形態】
【００２７】
以下、添付の図面を参照して、本発明の実施形態によるケーブルラック用コロ装置を説明する。
まず、図１及び図２を参照して、第１実施形態のケーブルラック用コロ装置を説明する。図１（Ａ）〜図１（Ｃ）は、本発明の第１実施形態によるケーブルラック用コロ装置を示し、図２（Ａ）及び図２（Ｂ）は、ケーブルラックに載置された状態のコロ装置を示す。
【００２８】
ケーブルラック用コロ装置１は、図２に示すように、ケーブルラック６０に載置された状態で使用される。ケーブルラック６０は、互いに平行な一対の親桁６２と、この一対の親桁６２の間に、両端が親桁６２に連結されて所定の間隔（ピッチ）で設けられた複数の子桁６４とから構成されている。
【００２９】
図１に示すように、本実施形態のコロ装置１は、コロ本体１０と、２つの送りローラ２０と、４つのガイドローラ３０とを備えている。
【００３０】
コロ本体１０は、ベース１１と、第１係合部１２と、第２係合部１４と、側壁部１６とを有している。ベース１１は、図２（Ａ）に示すように、コロ装置１をケーブルラック６０に載置した状態で、親桁６２の長手方向に延びている。第１係合部１２は、図１（Ｂ）に示すように、ベース１１の長手方向の一端部から下方に略直角に折り曲げられて延び、図２（Ｂ）に示すように、ケーブルラック６０の子桁６４ａに掛けられる。第２係合部１４は、図１（Ｂ）に示すように、ベース１１の長手方向の他端部から下方に略直角に折り曲げられて延び、図２（Ｂ）に示すように、ケーブルラック６０の別の子桁６４ｂに掛けられる。さらに、第２係合部１４の下端部は、別の子桁６４ｂの下面に沿って一端部に向かって延びている。側壁部１６は、ベース１１の長手方向に沿った両側から上方に略直角に折り曲げられて延びている。また、第１係合部１２の外側には、取手１８が取り付けられている。
【００３１】
なお、ベース１１の長手方向中央部の両側に設けられた孔や、側壁部１６の長手方向中央部に設けられた孔にロープを通すことによって、コロ本体１０をケーブルラック６０に縛り付けることもできる。
【００３２】
２つの送りローラ２０は、ケーブル７０を送るために、コロ本体１０の長手方向の両端付近に、長手方向に直交する幅方向に配置されている。各ローラ２０の回転軸２２は、コロ本体１０の側壁部１６によって支持されている。
【００３３】
４つのガイドローラ３０は、コロ本体１０のベース１１の四隅に、ベース１１から回転軸が立ち上がるように設けられている。各ガイドローラ３０の回転軸３２は、コロ本体１０の長手方向に転倒可能に、ガイド基部３４によって軸支されている。各回転軸３２は、スリーブ３６によって、ベース１１から直立した状態でガイド基部３４に固定される。また、スリーブ３６を回転軸３２に沿って上方に移動させることによって、回転軸３２を転倒させることができる（図１（Ｂ））。
【００３４】
そして、第１係合部１２と第２係合部１４との間隔は、ケーブルラック６０の子桁６４の所定の間隔と子桁６４の幅との合計の長さに対応している。その結果、第１係合部１２が第２係合部１４と反対の側からケーブルラック６０の子桁６４ａに係合し、かつ第２係合部１４が第１係合部１２と反対の側から別の子桁６４ｂに係合する。
【００３５】
これにより、延線されているケーブル７０からコロ装置１に、コロ本体１０の長手方向の一端部側にずらそうとする力が加えられたときには、第２係合部１４が子桁６４ｂに係合することによって、コロ装置１の位置ずれが防止される。一方、延線されているケーブルからコロ装置１に、コロ本体１０の長手方向の他端側にずらそうとする力が加えられたときには、第１係合部１２が別の子桁６４ａに係合することによって、コロ装置１の位置ずれが防止される。
【００３６】
さらに、図１（Ｂ）に示すように、第２係合部１４の下端部は、別の子桁６４ｂの下面に沿って一端部に向かって略直角に折り曲げられて延びている。これにより、ケーブルラック６０に載置されたコロ装置１を上方に動かそうとしても、第２係合部１４の先端が子桁６４ｂに係合することによって、コロ装置１のケーブルラックからの脱落が防止される。このため、コロ装置１をケーブルラック７０により安定して設置することができる。
【００３７】
コロ装置１をケーブルラック６０に設定する際には、取手１８を持って、先ず、コロ装置１の他端部側の第２係合部１４を子桁６４ｂに係合させ、続いて、コロ装置１の一端部側を下ろして、第１係合部１２を別の子桁６４ａに係合させるとよい。これにより、コロ装置１をケーブルラック６０に容易に載置することができる。
【００３８】
また、コロ装置１をケーブルラック６０から取り外す際にも、取手１８を持って、先ず、コロ装置１の一端部側を持ち上げて第１係合部１２を子桁６４ａから外し、続いて、コロ装置１の他端部側を持ち上げて第２係合部１４を子桁６４ｂから外すとよい。これにより、コロ装置１をケーブルラック６０から容易に取り外すことができる。
【００３９】
さらに、図１（Ｂ）に示すように、本実施形態のコロ装置１では、ガイドローラに面した側壁部１２の部分におけるベース１１からの高さＨ１が、送りローラ２０の回転軸２２を支持する部分の高さＨ２よりも低くなっている。これにより、側壁部の外側から、即ち、側方から、スリーブ３６を手で容易に動かして、ガイドローラ３０を転倒又直立させることができる。このため、ケーブル敷設後のコロ装置１の撤収時に、スリーブ３６を動かすためにコロ本体１０の上方からガイドローラ３０の横に手を入れる必要がなくなる。
【００４０】
また、コロ装置１は、ガイドローラ３０を倒した状態で、積み重ねることができる。図３に、３段積み重ねたコロ装置１を示す。図３（Ａ）に示すように、本実施形態のコロ装置１では、第１係合部１２のベース１１からの高さＨａと、第２係合部１４のベース１１からの高さＨｂと、ベース１１から送りローラ２０の最高部分までの高さＨｃとが実質的に等しい。これにより、複数のコロ装置１を容易に水平に積み重ねることができ、運搬及び保管の便を図ることができる。
【００４１】
なお、第１係合部１２の高さＨａと第２係合部１４の高さＨｂとが等しいため、本実施形態のコロ装置１は、ケーブルラック６０の上だけでなく、平らな場所にも安定して置くことができる。
【００４２】
次に、図４を参照して、本発明の第２実施形態によるケーブルラック用コロ装置を説明する。
なお、第２実施形態のコロ装置１ａのコロ本体１０ａのベース１１よりも上側の構成要素は、第１実施形態のものと同じであるため、それらの詳細な説明を省略する。
【００４３】
本実施形態のコロ装置１は、ケーブルラック６０の一対の親桁のうちの一方の親桁６２に取り付けられるように、ベース１１の下面に長手方向に整列した第１取付部４０と第２取付部５０とを備えている。
【００４４】
図４（Ｂ）に示すように、第１取付部４０は、ベース１１の長手方向に沿って延びる互いに平行な一対のブラケット４２及び４４を有する。ブラケット４２には、一対のブラケット４２及び４４の間に親桁６２を挟んで固定するための締付ノブ４２ａが設けられている。ブラケット４４は、下方に延びる第１係合部４４ａを有している。第１係合部４４ａは、図４（Ａ）に示すように、ケーブルラック６０の子桁６４ａに掛けられる。
【００４５】
第２取付部５０も、ベース１１の長手方向に沿って延びる互いに平行な一対のブラケット５４を有する。なお、図４（Ａ）では、一対のブラケットのうちの一方だけが示されている。第２取付部５０の不図示の方のブラケットにも、一対のブラケットの間に親桁６２を挟んで固定するための締付ノブが設けられている（図示せず）。また、ブラケット５４は、下方に延びる第２係合部５４ａを有している。第２係合部５４は、図４（Ａ）に示すように、ケーブルラック６０の別の子桁６４ｂに掛けられる。さらに、第２係合部５４ａの下端部は、別の子桁６４ｂの下面に沿って第１取付部４０の方へ向かって延びている。
【００４６】
そして、第１係合部４４ａと第２係合部５４ａとの間隔は、ケーブルラッ６０クの子桁６４の所定の間隔（ピッチ）と子桁６４の幅との合計の長さに対応している。その結果、第１係合部４４ａが第２係合部５４ａと反対の側からケーブルラック６０の子桁６４ａに係合し、第２係合部５４ａが第１係合部４４ａと反対の側から別の子桁６４ｂに係合する。
【００４７】
このように、本実施形態のコロ装置１ａは、締付ノブ４０によって親桁６２に取り付けられているだけでなく、第１係合部４４ａ及び第２係合部５４ａによって子桁６４にも係合している。このため、延線されているケーブルからコロ装置１ａに、コロ本体１０ａの長手方向の一端部側にずらそうとする力が加えられたときには、第２係合部５４ａが子桁６４ｂに係合することによって、コロ装置１０ａの位置ずれが防止される。一方、延線されているケーブルからコロ装置１ａに、コロ本体１０ｂの長手方向の他端側にずらそうとする力が加えられたときには、第１係合部４４ａが別の子桁６４ａに係合することによって、コロ装置１ａの位置ずれが防止される。
【００４８】
さらに、第２係合部５４ａの下端部が、更に子桁６４ｂの下面に沿って第１取付部４０の方へ向かって延びているため、ケーブルラック６０に取り付けられたコロ装置１ａを上方に動かそうとしても、第２係合部５４ａの先端が子桁６４ｂと係合することによって、コロ装置１ａのケーブルラック６０からの脱落が防止される。その結果、コロ装置１ａをケーブルラック６０により安定して取り付けることができる。
【００４９】
上述した各実施形態においては、本発明を特定の条件で構成した例について説明したが、本発明は種々の変更及び組み合わせを行うことができ、これに限定されるものではない。例えば、上述した実施形態においては、第１係合部及び第２係合部を隣接した子桁にそれぞれ係合させた例を説明したが、本発明では、第１係合部及び第２係合部は、隣接していない子桁にそれぞれ係合させてもよい。例えば、第１係合部が係合する子桁から一つ置いた子桁に、第２係合部を係合させるようにしてもよい。その場合には、第１係合部と第２係合部との間隔を、子桁の所定間隔（ピッチ）の２倍と子桁の幅との合計の長さに対応させるとよい。
【符号の説明】
【００５０】
１、１ａ  コロ装置
１０、１０ａ  コロ本体
１１  ベース
１２  第１係合部
１４  第２係合部
１６  側壁部
１８  取手
２０  送りローラ
２２  回転軸
３０  ガイドローラ
３２  回転軸
３４  ガイド基部
３６  スリーブ
４０  第１取付部
４２、４４  ブラケット
４２ａ  締付ノブ
４４ａ  第１係合部
５０  第２取付部
５４  ブラケット
５４ａ  第２係合部
６０  ケーブルラック
６２  親桁
６４、６４ａ、６４ｂ  子桁
７０  ケーブル
【図１】
0006035571.tif 000002
【図２】
0006035571.tif 000003
【図３】
0006035571.tif 000004
【図４】
0006035571.tif 000005